(57)【要約】      （修正有）【課題】市販されている殆どのベッドに対して使用することができる、在床状況検出装置に用いられる在床状況検出マットを提供する。【解決手段】マット１は在床状況検出パネル10を備えている。パネル10は、被験者の荷重を受ける弾性的に撓曲可能なパネル本体11と、該パネル本体11に装着され、該パネル本体11の歪み又は／及びその変動を検出する歪み検出センサ12と、を有するとともに、歪み検出センサ12の出力信号が在床状況の検出に用いられるものである。このパネル10がマット１のクッション部材２の内部に配置されている。また、パネル本体11の周縁部に、該周縁部によるクッション部材２の切断を防止する、該周縁部を覆うエッジカバー16が装着されている。【選択図】図２
2007175148.tif 000002
【特許請求の範囲】
【請求項１】
被験者の荷重を受ける弾性的に撓曲可能なパネル本体と、該パネル本体に装着され、該パネル本体の歪み又は／及びその変動を検出する歪み検出センサとを有するとともに、前記歪み検出センサの出力信号が在床状況の検出に用いられる在床状況検出パネルが、クッション部材の内部に配置されており、
前記パネル本体の周縁部に、該周縁部による前記クッション部材の切断を防止する、該周縁部を覆うエッジカバーが装着されていることを特徴とする在床状況検出マット。
【請求項２】
マット内部に、前記パネルの動作電源が配置されている請求項１記載の在床状況検出マット。
【請求項３】
前記動作電源の前記パネルへの電力供給線が、前記クッション部材に設けられた切り目の間を通されて前記パネルに接続されている請求項２記載の在床状況検出マット。
【請求項４】
マット内部に、前記パネルの出力信号を制御する制御手段が配置されている請求項１〜３のいずれか１項記載の在床状況検出マット。
【請求項５】
前記パネルの出力信号線が、前記クッション部材に設けられた切り目の間を通されて前記制御手段に接続されている請求項４記載の在床状況検出マット。
【請求項６】
マット内部に、前記制御手段の出力信号を電波信号として送信する無線通信手段が配置されている請求項４又は５記載の在床状況検出マット。
【請求項７】
前記エッジカバーは断面略円形状に形成されるとともに、前記エッジカバーの周面部の一部に嵌合用溝部が前記パネル本体の周縁部に沿って延設され、前記溝部内に前記パネル本体の周縁部が嵌合された状態で前記エッジカバーが前記パネル本体の周縁部に装着されている請求項１〜６のいずれか１項記載の在床状況検出マット。
【請求項８】
前記エッジカバーは樹脂製である請求項１〜７のいずれか１項記載の在床状況検出マット。
【請求項９】
寝床面上に敷設されたマット上に在床する被験者の在床状況を検出する在床状況検出方法であって、
前記マットとして、請求項１〜８のいずれか１項記載の在床状況検出マットを用いて、被験者の在床状況を検出することを特徴とする在床状況検出方法。
【請求項１０】
請求項１〜８のいずれか１項記載の在床状況検出マットと、
前記在床状況検出マットの出力信号に基づいて在床状況を演算する演算手段と、
前記演算手段の演算結果を表示する表示手段と、
前記演算手段の演算結果に基づいて報知信号を発する報知手段と、
を備えていることを特徴とする在床状況検出装置。
【請求項１１】
請求項１〜８のいずれか１項記載の在床状況検出マットを備えているベッド。
【発明の詳細な説明】
【技術分野】
【０００１】
本発明は、例えば、医療機関、介護施設、一般家庭等で使用され、被験者の着床、離床等の在床状況を検出する在床状況検出マットに関する。
【背景技術】
【０００２】
医療施設や介護施設では、病人、高齢者、被介護者、乳幼児等の被験者について、ベッド寝床部上における着床、離床等の在床状況を検出することが行われている。近年、この際に用いられる在床状況検出装置が多数開発されている（例えば、特許文献１−６参照。）。これらの装置の一つに、次のような構成のものが知られている。
【０００３】
すなわち、この装置は、ベッドの前後左右の脚部の下端にそれぞれ重量センサとしてロードセルが取り付けられている。そして、被験者が滞在するベッドの全荷重をロードセルにより計測し、この計測された荷重の変動に基づいて在床状況を検出するように構成されている（例えば、特許文献１）。
【０００４】
上述の装置では、被験者の体重とベッドの重量との合計荷重がロードセルにより計測されることから、この計測された荷重からベッドの重量を差し引くことにより、被験者の絶対重量を測定することができるという利点がある。
【特許文献１】特開２００３−５５２号公報
【特許文献２】特開２００１−２７６０１９号公報
【特許文献３】特開２００１−４６３４７号公報
【特許文献４】特開２０００−１０７１５４号公報
【特許文献５】特開平１０−２１６１０５号公報
【特許文献６】特開２００３−２１０４３４号公報
【発明の開示】
【発明が解決しようとする課題】
【０００５】
しかしながら、上述の装置には次の難点があった。
【０００６】
すなわち、上述の装置では、ロードセルを取り付けることができるベッドの種類に制限され、市販されている全てのベッドに対して必ずしもロードセルを取り付けることができるとは限らないという難点があった。
【０００７】
本発明は、上述した技術背景に鑑みてなされたもので、その目的は、市販されている殆どのベッドに対して使用することができる、在床状況検出装置に用いられる在床状況検出マット、該マットを用いた在床状況検出方法、該マットを備えた在床状況検出装置、及び該マットを備えたベッドを提供することにある。
【課題を解決するための手段】
【０００８】
本発明は以下の手段を提供する。
【０００９】
［１］  被験者の荷重を受ける弾性的に撓曲可能なパネル本体と、該パネル本体に装着され、該パネル本体の歪み又は／及びその変動を検出する歪み検出センサとを有するとともに、前記歪み検出センサの出力信号が在床状況の検出に用いられる在床状況検出パネルが、クッション部材の内部に配置されており、
前記パネル本体の周縁部に、該周縁部による前記クッション部材の切断を防止する、該周縁部を覆うエッジカバーが装着されていることを特徴とする在床状況検出マット。
【００１０】
［２］  マット内部に、前記パネルの動作電源が配置されている前項１記載の在床状況検出マット。
【００１１】
［３］  前記動作電源の前記パネルへの電力供給線が、前記クッション部材に設けられた切り目の間を通されて前記パネルに接続されている前項２記載の在床状況検出マット。
【００１２】
［４］  マット内部に、前記パネルの出力信号を制御する制御手段が配置されている前項１〜３のいずれか１項記載の在床状況検出マット。
【００１３】
［５］  前記パネルの出力信号線が、前記クッション部材に設けられた切り目の間を通されて前記制御手段に接続されている前項４記載の在床状況検出マット。
【００１４】
［６］  マット内部に、前記制御手段の出力信号を電波信号として送信する無線通信手段が配置されている前項４又は５記載の在床状況検出マット。
【００１５】
［７］  前記エッジカバーは断面略円形状に形成されるとともに、前記エッジカバーの周面部の一部に嵌合用溝部が前記パネル本体の周縁部に沿って延設され、前記溝部内に前記パネル本体の周縁部が嵌合された状態で前記エッジカバーが前記パネル本体の周縁部に装着されている前項１〜６のいずれか１項記載の在床状況検出マット。
【００１６】
［８］  前記エッジカバーは樹脂製である前項１〜７のいずれか１項記載の在床状況検出マット。
【００１７】
［９］  寝床面上に敷設されたマット上に在床する被験者の在床状況を検出する在床状況検出方法であって、
前記マットとして、前項１〜８のいずれか１項記載の在床状況検出マットを用いて、被験者の在床状況を検出することを特徴とする在床状況検出方法。
【００１８】
［１０］  前項１〜８のいずれか１項記載の在床状況検出マットと、
前記在床状況検出マットの出力信号に基づいて在床状況を演算する演算手段と、
前記演算手段の演算結果を表示する表示手段と、
前記演算手段の演算結果に基づいて報知信号を発する報知手段と、
を備えていることを特徴とする在床状況検出装置。
【００１９】
［１１］  前項１〜８のいずれか１項記載の在床状況検出マットを備えているベッド。
【発明の効果】
【００２０】
本発明は以下の効果を奏する。
【００２１】
［１］の発明では、在床状況検出マットはクッション部材の内部に在床状況検出パネルが配置されているものなので、このマット上に被験者が在床することにより被験者の在床状況を検出できる。したがって、このマットは、市販されている殆どのベッドをはじめ、様々な寝床に対して使用することができる。
【００２２】
さらに、在床状況検出パネルのパネル本体の周縁部に、該周縁部によるクッション部材の切断を防止する、該周縁部を覆うエッジカバーが装着されているので、パネル本体の周縁部でクッション部材が切断される不具合は殆ど発生しない。そのため、クッション部材の内部におけるパネルの位置ずれを防止でき、もってパネルの位置ずれに伴う在床状況の検出精度の低下も防止できる。
【００２３】
［２］の発明では、マット内部に、パネルの動作電源が配置されているので、外部電源を用いなくてもパネルに動作電力を供給できる。
【００２４】
［３］の発明では、動作電源のパネルへの電力供給線が、クッション部材に設けられた切り目の間を通されてパネルに接続されているので、クッション部材の内部における電力供給線の位置ずれについても更に防止でき、もって電力供給線がマットの外側に出るのを確実に防止できる。
【００２５】
［４］の発明では、マット内部に、パネルの出力信号を制御する制御手段が配置されているので、外部の制御手段を用いなくてもパネルの出力信号を制御できる。
【００２６】
［５］の発明では、パネルの出力信号線が、クッション部材に設けられた切り目の間を通されて制御手段に接続されているので、クッション部材の内部におけるパネルの出力信号線の位置ずれについても防止でき、もってパネルの出力信号線がマットの外側に出るのを確実に防止できる。
【００２７】
［６］の発明では、マット内部に、制御手段の出力信号を電波信号として送信する無線通信手段が配置されているので、制御手段の出力信号の伝送についてコードレス化を図ることができる。
【００２８】
［７］の発明では、パネル本体の周縁部にエッジカバーを強固に装着することができるし、パネル本体の周縁部によるクッション部材の切断をエッジカバーによって確実に防止できる。
【００２９】
［８］の発明では、エッジカバーを安価に製作できる上、更に、樹脂製のエッジカバーは一般に適度な弾性を有しているので、パネル本体の周縁部にエッジカバーを装着することに伴う在床状況の検出精度の低下を防止できる。
【００３０】
［９］の発明では、在床状況検出マットとして、上記［１］〜［８］のいずれかの発明の在床状況検出マットが用いられているので、パネルの位置ずれに伴う在床状況の検出精度の低下を防止でき、もって、精度の高い在床状況を確実に検出できる。
【００３１】
［１０］の発明では、在床状況検出装置は、上記［１］〜［８］のいずれかの発明の在床状況検出マットを備えているので、上述した効果と同じ効果を奏する。
【００３２】
［１１］の発明では、ベッドは、上記［１］〜［８］のいずれかの発明の在床状況検出マットを備えているので、在床状況を検出できる上、更に、マットについて上述した効果を奏する。
【発明を実施するための最良の形態】
【００３３】
次に、本発明の一実施形態について図面を参照して以下に説明する。
【００３４】
図１において、（１）は、本発明の一実施形態に係る在床状況検出マット、（20）は本発明の一実施形態に係る在床状況検出装置である。（30）は、本発明の一実施形態に係るベッドである。
【００３５】
本実施形態のベッド（30）は、医療施設（例：病院）、介護施設（看護施設を含む。以下同じ。）、高齢者施設、一般家庭等で使用されるものであり、その寝床板（31）の上面からなる寝床面（32）は、平面視略長方形状（長方形状）に形成されている。さらに、この寝床面（32）上に本実施形態の在床状況検出マット（１）が敷設されている。なお本発明では、マットとはマットレスを含む意味で用いられる。
【００３６】
このベッド（30）はギャッチベッドであり、したがって図１に示すように寝床板（31）のうち被験者（Ｈ）の上半身を受ける上半身受け部（31a）は、水平面に対して所定の傾斜角に起こしたり、起こした上半身受け部（31a）を水平状に降ろしたりすることができるように構成されている。就寝時には上半身受け部（31a）は通常、水平状に降ろされ、この状態で被験者（Ｈ）が在床状況検出マット（１）上で就寝する。
【００３７】
このベッド（30）の在床状況検出マット（１）上には、被験者（Ｈ）として、病人、高齢者、被介護者（被看護者を含む。）をはじめ、健康人、乳幼児等が、睡眠、休息、療養、診察、検査等のために、仰向き姿勢等で在床する。
【００３８】
本実施形態の在床状況検出装置（20）は、図１に示すように、本実施形態の在床状況検出マット（１）と、演算手段（21）と、表示手段（22）と、報知手段（23）とを備えている。
【００３９】
この在床状況検出装置（20）や在床状況検出マット（１）により検出される被験者（Ｈ）の在床状況として、着床、離床、在床位置、体動の激しさ、寝返り、体動の頻度等が挙げられる。
【００４０】
演算手段（21）は、コンピュータ等からなり、在床状況検出マット（１）から出力される被験者（Ｈ）の在床状況に関する信号、即ち在床状況検出マット（１）の出力信号に基づいて、被験者（Ｈ）の在床状況を演算するものである。
【００４１】
表示手段（22）は、演算手段（21）の演算結果（即ち在床状況等）を表示するものであり、液晶ディスプレイ、ＣＲＴ等を有している。
【００４２】
報知手段（23）は、演算手段（21）の演算結果（即ち在床状況等）に基づいて報知信号を看護師、介護者、監視者等に対して発するものである。この報知手段（23）は、報知信号としての報知音を発する報知スピーカや、光を発する報知ランプ等を有している。
【００４３】
演算手段（21）、表示手段（22）及び報知手段（23）は、いずれも、通常、ベッド（30）を設置した部屋とは異なる場所に設置されるものであり、例えば、ナースセンタや監視室に設置されるものである。
【００４４】
次に、本実施形態の在床状況検出マット（１）の構成について以下に説明する。
【００４５】
このマット（１）は、被験者（Ｈ）を弾性的に受ける内部クッション部材（２）と、２個の在床状況検出パネル（10）（10）とを備えている。
【００４６】
図２及び図３に示すように、クッション部材（２）は、弾性を有するものであって、例えば低発泡ウレタン製であり、平面視略長方形状（長方形状）に形成されている。また、クッション部材（２）の大きさはマット（１）と同じ大きさに設定されている。そして、このクッション部材（２）は、柔軟なマットカバー（図示せず）によってその全表面が覆われている。マットカバーは例えば布製である。
【００４７】
在床状況検出マット（１）の大きさは、例えば、長さ５００〜２５００ｍｍ（詳述すると２０００ｍｍ等）、幅８００〜２０００ｍｍ（詳述すると８３０ｍｍ等）、厚さ７０〜２００ｍｍ（詳述すると１００ｍｍ等）の範囲内に設定されている。なお本発明では、マット（１）の大きさは上記の範囲内であることに限定されるものではない。
【００４８】
２個の在床状況検出パネル（10）（10）は互いに同一構成である。各パネル（10）は、被験者（Ｈ）の在床状況を検出するものである。
【００４９】
このパネル（10）は、図６〜図１０に示すように、被験者（Ｈ）の下側に配置され被験者（Ｈ）の荷重を受ける平面視略長方形（長方形）の帯板状のパネル本体（11）と、歪み検出センサ（12）とを備えている。そして、このパネル（10）は、パネル本体（11）に歪み検出センサ（12）が装着され、パネル本体（11）の歪み又は／及びその変動がこの歪み検出センサ（12）により検出されるものとなされるとともに、歪み検出センサ（12）の出力信号が被験者（Ｈ）の在床状況の検出に用いられるものである。本実施形態では、歪み検出センサ（12）は、パネル本体（11）の歪み及びその変動を検出可能なものである。ただし本発明では、歪み検出センサ（12）は、パネル本体（11）の歪み及びその変動のうちいずれかだけを検出可能なものであっても良い。
【００５０】
さらに、在床状況検出マット（１）は、図２に示すように、２個の在床状況検出パネル（10）（10）の他に、動作電源（３）と、制御手段（４）と、無線通信手段（５）とを備えている。
【００５１】
制御手段（４）は、パネル（10）から出力される在床状況に関する信号、即ちパネル（10）の出力信号を制御するものである。この制御手段（４）は、制御ボックスを有するものである。この制御手段（４）は、マット（１）内部として、クッション部材（２）の内部における、マット（１）の長さ方向一端部に配置されており、詳述すると、クッション部材（２）の内部における、被験者（Ｈ）の足側の端部に配置されている。
【００５２】
制御手段（４）は、パネル（10）の出力信号を増幅する増幅部（図示せず）、該増幅部により増幅された信号をアナログ信号からデジタル信号に変換するＡ／Ｄ変換部（図示せず）等を有している。
【００５３】
無線通信手段（５）は、制御手段（４）の出力信号、即ち、制御手段（４）のＡ／Ｄ変換部から送出された在床状況に関するデジタル信号を、電波信号として在床状況検出装置（20）の演算手段（21）に送信するものである。この無線通信手段（３）は、通信ボックスを有するものである。この無線通信手段（３）は、マット（１）内部として、クッション部材（２）の内部における、マット（１）の長さ方向一端部に配置されており、詳述すると、クッション部材（２）の内部における、被験者（Ｈ）の足側の端部に配置されている。
【００５４】
動作電源（３）は、パネル（10）の動作と、更に、制御手段（４）や無線通信手段（５）等の動作に必要な電力をこれらに供給するものである。この動作電源（３）として、乾電池、蓄電池、二次電池等の電池が用いられている。この動作電源（３）は、マット（１）内部として、クッション部材（２）の内部における、マット（１）の長さ方向一端部に配置されており、詳述すると、クッション部材（２）の内部における、被験者（Ｈ）の足側の端部に配置されている。
【００５５】
なお本発明では、制御手段（４）、無線通信手段（５）及び動作電源（３）は、マット（１）内部として、クッション部材（２）の内部における被験者（Ｈ）の頭側の端部に配置されていても良いし、クッション部材（２）の内部における他の位置に配置されていても良い。
【００５６】
本実施形態の在床状況検出パネル（10）において、図６〜図１０に示すように、パネル本体（11）は、弾性的に撓曲可能なものであり、例えばアルミニウム（その合金を含む。以下同じ。）製であり、且つ押出し材や圧延材等からなる。
【００５７】
なお本発明では、パネル本体（11）は、鉄、鋼、ステンレス鋼、マグネシウム合金等の金属製であっても良いし、繊維強化プラスチック等のプラスチック製であっても良い。
【００５８】
パネル本体（11）の大きさは、例えば、長さ５０〜３００ｍｍ（詳述すると１５０ｍｍ等）、幅７７０〜２０３０ｍｍ（詳述すると８００ｍｍ等）、厚さ０．５〜５ｍｍ（詳述すると２ｍｍ等）の範囲内に設定されている。
【００５９】
ここで、パネル本体（11）の長さとは、被験者（Ｈ）の身長方向に沿うパネル本体（11）の長さ、即ちマット（１）の長さ方向に沿うパネル本体（11）の長さである。また、パネル本体（11）の幅とは、被験者（Ｈ）の幅方向に沿うパネル本体（11）の長さ、即ちマット（１）の幅方向に沿うパネル本体（11）の長さである。
【００６０】
なお本発明では、パネル本体（11）の大きさは上記の範囲内であることに限定されるものではない。
【００６１】
パネル本体（11）の曲げこわさは、例えば、７．５×１０2〜１．５×１０12Ｎｍｍ2（特に好ましくは１×１０5〜７×１０9Ｎｍｍ2）の範囲内に設定されることが望ましい。
【００６２】
パネル本体（11）の材料は、ヤング率が３×１０4〜３０×１０4ＭＰａ（特に好ましくは５×１０4〜２５×１０4ＭＰａ）の範囲内のものであることが望ましい。
【００６３】
ただし本発明では、受け部材（11）の曲げこわさ及びヤング率は上記の範囲内であることに限定されるものではない。
【００６４】
また、図１０に示すように、パネル本体（11）の周縁部（11a）には、該パネル本体（11）の周縁部（11a）でクッション部材（２）が切断されるのを防止する、該周縁部（11a）を覆うエッジカバー（16）が、該周縁部（11a）の全周に亘って装着されている。
【００６５】
このエッジカバー（16）は、ポリ塩化ビニル、ポリウレタン等の樹脂製であり、弾性（詳述すると曲げ弾性）を有する柔軟なものである。
【００６６】
このエッジカバー（16）は、同図に示すように断面略円形状（円形状）に形成されている。さらに、このエッジカバー（16）の周面部の一部に、エッジカバー（16）の断面の中心部に向かって凹んだ断面コ字状の嵌合用溝部（16a）がパネル本体（10）の周縁部（11a）に沿って延設されている。そして、この溝部（16a）内にパネル本体（11）の周縁部（11a）が嵌合された状態でエッジカバー（16）がパネル本体（11）の周縁部（11a）に装着されている。本実施形態では、エッジカバー（16）は、パネル本体（11）の周縁部（11a）から不本意に外れないようにするため、パネル本体（11）の周縁部（11a）に接着剤により貼着されて装着されている。
【００６７】
このエッジカバー（16）の直径は、例えばパネル本体（11）の厚さよりも２〜１０ｍｍ大きく設定されていることが望ましい。ただし本発明では、エッジカバー（16）の直径は上記の範囲内であることに限定されるものではない。
【００６８】
パネル（10）の歪み検出センサ（12）は、上述したようにパネル本体（11）の歪み又は／及びその変動を検出するものである。一方、パネル本体（11）は起歪板として作用する。本実施形態では、パネル（10）は、図６〜図９に示すように、歪み検出センサ（12）として少なくとも１個の歪みゲージ（13）を備えている。
【００６９】
パネル本体（11）の上下両面の左側部の互いに対向する位置には、歪みゲージ（13）が二対、接着剤により貼り付けられている。この二対（即ち４個）の歪みゲージ（13）（13）（13）（13）は、図１１に示すように電気的に接続されてブリッジ回路（ホイートストンブリッジ回路）（14）が形成されている。このブリッジ回路（14）を、説明の便宜上、「左ブリッジ回路」という。
【００７０】
また同じく、パネル本体（11）の上下両面の右側部の互いに対向する位置には、歪みゲージ（13）が二対、接着剤により貼り付けられている。この二対（即ち４個）の歪みゲージ（13）（13）（13）（13）は、図１１に示すように電気的に接続されてブリッジ回路（ホイートストンブリッジ回路）（14）が形成されている。このブリッジ回路（14）を、説明の便宜上、「右ブリッジ回路」という。
【００７１】
歪みゲージ（13）としては、抵抗線歪みゲージ、箔歪みゲージ、半導体歪みゲージ等が用いられる。
【００７２】
そして、このパネル（10）は、図２〜図４に示すように、マット（１）のクッション部材（２）の内部における、被験者（Ｈ）の上半身（例：胸部や腹部）を受ける位置と、被験者（Ｈ）の下半身（例：脚部）を受ける位置とに、それぞれ、マット（１）の幅方向に延びる態様にして水平状に配置されている。各パネル（10）の、クッション部材（２）内部における配置位置について詳述すると、例えば、パネル（10）は、クッション部材（２）内部においてマット（１）の長さ方向中間位置からマット（１）の長さ方向両側にそれぞれ３００ｍｍ離れた位置に配置されている。
【００７３】
また、クッション部材（２）の内部における各パネル（10）のマット（１）上面からの深さ位置は、１０〜１５０ｍｍ（特に望ましくは２０〜１２０ｍｍ）の範囲内に設定されている。ただし本発明では、パネル（10）のマット（１）上面からの深さ位置が上記の範囲であることに限定されるものではない。
【００７４】
パネル（10）のクッション部材（２）内部への配置方法について図４を参照して説明すると、次のとおりである。
【００７５】
まず、クッション部材（２）のパネル配置予定部をその上面（又は下面）からクッション部材（２）の厚さ方向中間位置まで切り抜き、これにより、クッション部材（２）のパネル配置予定部に凹部（2a）を形成するとともに、該凹部（2a）に対応する蓋部（2b）を得る。そして、凹部（2a）の底面上にパネル（10）を載置する。次いで、この凹部（2a）内に蓋部（2b）を嵌合させて凹部（2a）を蓋部（2b）で閉塞する。これにより、パネル（10）がクッション部材（２）の内部に配置される。さらに、本実施形態では、凹部（2a）と蓋部（2b）とは面ファスナー（図示せず）により相互に分離可能に接合され、これにより、蓋部（2b）が凹部（2a）内から不本意に抜出しないものとなされている。
【００７６】
図２〜図５において、（17）は、動作電源（３）のパネル（10）への電力供給線である。本実施形態では、この電力供給線（17）は、歪みゲージ（13）が組み込まれた左右各ブリッジ回路（14）（14）の入力電圧線である。
【００７７】
また、（18）は、パネル（10）の出力信号線である。本実施形態では、この出力信号線（17）は、歪みゲージ（13）が組み込まれた左右各ブリッジ回路（14）（14）の出力電圧線である。
【００７８】
なお、図２〜図５では、電力供給線（17）と出力信号線（18）とは互いに共有する１本の線で図示されている。
【００７９】
また、クッション部材（２）の幅方向一端部には、図５に示すように、その上面（又は下面）からクッション部材（２）の厚さ方向中間位置まで切り込まれた切り目（６）が、クッション部材（２）の内部におけるパネル（10）の設置位置から、動作電源（３）、制御手段（４）及び無線通信手段（５）の配置位置まで延びて設けられている。
【００８０】
そして、動作電源（３）から延びた電力供給線（17）が、この切り目（６）の間に挟まれた状態で切り目（６）に沿って通されて各パネル（10）に接続されている。さらに、各パネル（10）から延びた出力信号線（18）が、この切り目（６）の間に挟まれた状態で切り目（６）に沿って通されて制御手段（４）に接続されている。
【００８１】
さらに、図６〜図９に示すように、パネル（10）のパネル本体（11）の上面に沿うように電力供給線（17）と出力信号線（18）が配置されて各ブリッジ回路（14）（14）に接続されている。
【００８２】
なお（15）は、パネル本体（11）に設けられた小孔である。図９に示すように、この小孔（11）内に、電力供給線（17）や出力信号線（18）が挿通されて４個の歪みゲージ（14）（14）（14）（14）のうちパネル本体（11）の下面に装着された２個の歪みゲージ（14）（14）に接続されている。
【００８３】
而して、上記在床状況検出マット（１）及び在床状況検出装置（20）を用いた在床状況検出方法について、以下に説明する。
【００８４】
まず、ベッド（30）の寝床面（32）上に敷設された在床状況検出マット（１）上に被験者（Ｈ）が仰向き姿勢等で在床する。
【００８５】
すると、マット（１）のクッション部材（２）内部に配置された在床状況検出パネル（10）のパネル本体（11）が、被験者（Ｈ）の荷重を受けて弾性的に撓曲する。これにより、パネル本体（11）に歪み（例：曲げ歪み）が発生する。さらに、被験者（Ｈ）がマット（１）上で寝返りをしたり被験者（Ｈ）が離床する等、被験者（Ｈ）がその体を動かすことに伴い、パネル本体（11）の歪みが時間的に変動する。このようなパネル本体（11）の歪み及びその変動が、歪みゲージ（13）が組み込まれたブリッジ回路（14）により検出される。そして、ブリッジ回路（14）の出力信号（詳述すると出力電圧）が、出力信号線（18）を介して制御手段（４）に在床状況に関する信号として送信される。
【００８６】
制御手段（４）に送信された信号は、増幅部により増幅された後、Ａ／Ｄ変換部によりアナログ信号からデジタル信号に変換される。そして、無線通信手段（５）に送信される。
【００８７】
無線通信手段（５）に送信された信号は、そのアンテナ（図示せず）から電波信号として演算手段（21）へ送信される。
【００８８】
すると、その信号は、演算手段（21）のアンテナ（21a）で受信されて演算手段（21）に送信され、この信号に基づいて着床、離床、在床位置、体動の激しさ、寝返り、体動の頻度等の在床状況を演算する。
【００８９】
演算手段（21）の演算結果（即ち在床状況等）は、表示手段（22）によりリアルタイムに表示される。また、演算結果が所定の範囲から外れた場合には、報知手段（23）によって報知音や光等の報知信号が看護師、介護者、監視者等に対して発せられる。なお、演算結果が所定の範囲から外れた場合としては、被験者（Ｈ）が離床した場合等が挙げられる。
【００９０】
而して、本実施形態の在床状況検出マット（１）は次の利点がある。
【００９１】
すなわち、在床状況検出マット（１）はクッション部材（２）の内部に在床状況検出パネル（10）が配置されているものなので、このマット（１）上に被験者（Ｈ）が在床することにより被験者の在床状況を検出できる。したがって、このマット（１）は、市販されている殆どのベッドをはじめ、様々な寝床に対して使用することができる。
【００９２】
さらに、このマット（１）は、在床状況検出パネル（10）のパネル本体（11）の周縁部（11a）に、該周縁部（11a）によるクッション部材（２）の切断を防止する、該周縁部（11a）を覆うエッジカバー（16）が装着されている。したがって、ベッド（30）の寝床板（31）の上半身受け部（31a）の起こし動作及び降ろし動作を繰り返し行ったり、被験者（Ｈ）のマット（１）上への着床・離床動作や、被験者（Ｈ）の寝返り動作を繰り返し行った場合であっても、パネル本体（11）の周縁部（11a）でクッション部材（２）が切断される不具合は殆ど発生しない。そのため、クッション部材（２）の内部におけるパネル（10）の位置ずれを防止でき、もってパネル（10）の位置ずれに伴う在床状況の検出精度の低下を防止できる。
【００９３】
さらに、マット（１）内部としてクッション部材（２）の内部に、パネル（10）の動作電源（３）が配置されているので、外部電源を用いなくてもパネル（１）に動作電力を供給できる。そのため、マット（１）のパネル（10）への電力供給についてコードレス化を図ることができる。
【００９４】
さらに、動作電源（３）のパネル（10）への電力供給線（17）が、クッション部材（２）に設けられた切り目（６）の間を通されてパネル（10）に接続されているので、クッション部材（２）の内部における電力供給線（17）の位置ずれについても更に防止でき、もって、電力供給線（17）がマット（１）の外側に出るのを確実に防止できる。
【００９５】
さらに、マット（１）内部としてクッション部材（２）の内部に、パネル（10）の出力信号を制御する制御手段（４）が配置されているので、外部の制御手段を用いなくてもパネル（10）の出力信号を制御できる。
【００９６】
さらに、パネル（10）の出力信号線（18）が、クッション部材（２）に設けられた切り目（６）の間を通されて制御手段（４）に接続されているので、クッション部材（２）の内部におけるパネル（10）の出力信号線（17）の位置ずれについても防止でき、もって、パネル（10）の出力信号線（17）がマット（１）の外側に出るのを確実に防止できる。
【００９７】
さらに、マット（１）内部としてクッション部材（２）の内部に、制御手段（４）の出力信号を電波信号として送信する無線通信手段（４）が配置されているので、制御手段（４）の出力信号の伝送についてコードレス化を図ることができる。
【００９８】
さらに、エッジカバー（16）は断面円形状に形成されるとともに、エッジカバー（16）の周面部の一部に嵌合用溝部（16a）がパネル本体（11）の周縁部（11a）に沿って延設され、この溝部（16a）内にパネル本体（11）の周縁部（11a）が嵌合された状態でエッジカバー（16）がパネル本体（11）の周縁部（11a）に装着されている。したがって、パネル本体（11）の周縁部（11a）にエッジカバー（16）を強固に装着することができるし、パネル本体（11）の周縁部（11a）によるクッション部材（２）の切断をエッジカバー（16）によって確実に防止できる。
【００９９】
さらに、エッジカバー（16）が樹脂製なので、エッジカバー（16）を安価に製作できる上、更に、樹脂製のエッジカバー（16）は一般に適度な弾性を有しているので、パネル本体（11）の周縁部（11a）にエッジカバー（16）を装着することに伴う在床状況の検出精度の低下についても防止できる。
【０１００】
また、本実施形態の在床状況検出方法では、被験者（Ｈ）が在床するマットとして、本実施形態の在床状況検出マット（１）が用いられているので、パネル（10）の位置ずれに伴う在床状況の検出精度の低下を防止でき、もって、精度の高い在床状況を確実に検出できる。
【０１０１】
また、本実施形態の在床状況検出装置（20）では、本実施形態の在床状況検出マット（１）を備えているので、上述した効果と同じ効果を奏する。
【０１０２】
また、本実施形態のベッド（30）では、本実施形態の在床状況検出マット（１）を備えているので、在床状況を検出できる上、更に、マットについて上述した効果を奏する。
【０１０３】
以上で本発明の一実施形態について説明したが、本発明は上記実施形態に示したものに限定されるものではなく、様々に設定変更可能である。
【０１０４】
例えば、本実施形態では、在床状況検出マット（１）は、ベッド（30）の寝床面（32）上に敷設されるものであるが、本発明では、その他に、例えば、畳面上に敷設されるものであっても良いし、床板面上に敷設されるものであっても良い。
【０１０５】
また本発明では、在床状況検出マット（１）及び在床状況検出装置（20）には、それぞれ、必要に応じて安全上の装置が付設されていても良いし、安全上の処理が施されていても良い。
【０１０６】
また本発明では、在床状況検出パネル（10）のパネル本体（11）に、歪み検出センサ（12）として１個の歪みゲージ（13）が装着されていても良いし、２個や３個以上の歪みゲージ（13）が装着されていても良い。また、ブリッジ回路（14）は、本実施形態では４個の歪みゲージ（13）が組み込まれて形成されたものであるが、本発明では、５個や６個以上の歪みゲージ（13）が組み込まれて形成されたものであっても良いし、１個以上の歪みゲージ（13）と１個以上の固定抵抗（ダミー抵抗）とが組み込まれて形成されたものであっても良い。
【０１０７】
また本発明では、歪み検出センサ（12）は、歪みゲージ（13）をはじめ、これ以外のセンサ、例えば、導電性エラストマーセンサ（導電性ゴムセンサや導電性樹脂センサ等）、電歪デバイスセンサ、圧電デバイスセンサ、磁歪デバイスセンサであっても良いし、これらのセンサからなる群から選択される１種又は２種以上のセンサであっても良い。
【０１０８】
また本発明では、ベッド（30）は必ずしもギャッチベッドであることを要せず、その他のベッドであっても良い。
【産業上の利用可能性】
【０１０９】
本発明は、例えば、医療機関、介護施設、一般家庭等で使用され、被験者の着床、離床等の在床状況を検出する在床状況検出マット、該マットを用いた在床状況検出方法、前記マットを備えた在床状況検出装置、前記マットを備えたベッドに利用可能である。
【図面の簡単な説明】
【０１１０】
【図１】本発明の一実施形態に係る在床状況検出マット、在床状況検出装置及びベッドを示す概略図である。
【図２】同マットの一部切欠き平面図である。
【図３】同マットの一部切欠き側面図である。
【図４】図３中のＡ部分の拡大図である。
【図５】図３中のＸ−Ｘ線拡大断面図である。
【図６】本発明の一実施形態に係る在床状況検出パネルの平面図である。
【図７】同パネルの底面図である。
【図８】図６中のＹ−Ｙ線断面図である。
【図９】図８中のＢ部分の拡大図である。
【図１０】図８中のＣ部分の拡大図である。
【図１１】同パネルの歪みゲージが組み込まれたブリッジ回路を示す回路図である。
【符号の説明】
【０１１１】
１…在床状況検出マット
２…クッション部材
３…動作電源
４…制御手段
５…無線通信手段
６…切り目
10…在床状況検出パネル
11…パネル本体
12…歪み検出センサ
13…歪みゲージ
14…ブリッジ回路
16…エッジカバー
16a…嵌合用溝部
17…電力供給線
18…出力信号線
20…在床状況検出装置
21…演算手段
22…表示手段
23…報知手段
30…ベッド
32…寝床面
Ｈ…被験者
【図１】
2007175148.tif 000003
【図２】
2007175148.tif 000004
【図３】
2007175148.tif 000005
【図４】
2007175148.tif 000006
【図５】
2007175148.tif 000007
【図６】
2007175148.tif 000008
【図７】
2007175148.tif 000009
【図８】
2007175148.tif 000010
【図９】
2007175148.tif 000011
【図１０】
2007175148.tif 000012
【図１１】
2007175148.tif 000013